(57)【特許請求の範囲】
【請求項１】
分解性繊維のウェブあるいはシートの上に配置された植生材を、水崩壊性又は分解性のホットメルト接着剤をスプレーして形成された、細長い繊維が絡み合った状態の綿菓子状の被覆層で保持したことを特徴とする植生体。
【請求項２】
下面に被覆材を有する分解性繊維のウェブあるいはシートの上に植生材を配置し、この植生材を水崩壊性又は分解性のホットメルト接着剤をスプレーして形成された、細長い繊維が絡み合った状態の綿菓子状の被覆層で保持したことを特徴とする植生体。
【請求項３】
分解性繊維のウェブあるいはシートの上に植生材を散布し、この植生材の上から水崩壊性又は分解性のホットメルト接着剤をスプレーして細長い繊維が絡み合った状態の綿菓子状被覆層を形成することを特徴とする植生体の製造方法。
【請求項４】
被覆材の上に分解性繊維のウェブあるいはシートを固定し、該ウェブあるいはシートの上に植生材を散布し、この植生材の上から水崩壊性又は分解性のホットメルト接着剤をスプレーして細長い繊維が絡み合った状態の綿菓子状被覆層を形成することを特徴とする植生体の製造方法。
【請求項５】
植生材の散布時から、水崩壊性あるいは分解性のホットメルト接着剤をスプレーするまでの間、下方から空気を吸引することを特徴とする請求項３又は４の植生体の製造方法。
【請求項６】
水崩壊性あるいは分解性のホットメルト接着剤のスプレー後に、無機質微小粉末を添付することを特徴とする請求項３から５のいずれかの植生体の製造方法。
【発明の詳細な説明】
【０００１】
【産業上の利用分野】
本発明は、法面などの緑化に用いられる植生体と、その製造方法に関するものである。
【０００２】
【従来の技術】
従来より、分解性繊維のウェブあるいはシートに、種子、肥料等の植生材を水溶性糊材で一体的に接着し、ウェブあるいはシートを上にして法面等の緑化地盤に敷設する植生体が知られている。また、この植生体は、分解性繊維のウェブあるいはシートの上に植生材を散布し、その上から水溶性糊剤を散布し、乾燥して作られていた。
【０００３】
【発明が解決しようとする課題】
しかしながら、水溶性糊材は接着力が弱いので、乾燥中に、また運搬及び施工の最中に、植生材が分解性繊維のウェブあるいはシートから剥離するという問題があった。
【０００４】
また、糊剤を乾燥するには大型の乾燥炉を必要とするので、エネルギーを大量消費し、乾燥中に植生体が焼損する危険があり、高温に長時間曝された種子が枯死したり肥料が変成したりするという問題があった。
【０００５】
【課題を解決するための手段】
そこで、本発明は、水溶性糊剤を用いることの上記問題点を解消するためになされたもので、請求項１の発明に係る植生体は、分解性繊維のウェブあるいはシートの上に配置された植生材を、水崩壊性又は分解性のホットメルト接着剤をスプレーして形成された、細長い繊維が絡み合った状態の綿菓子状の被覆層で保持したものである。
【０００６】
請求項２の発明に係る植生体は、下面に被覆材を有する分解性繊維のウェブあるいはシートの上に植生材を配置し、この植生材を水崩壊性又は分解性のホットメルト接着剤をスプレーして形成された、細長い繊維が絡み合った状態の綿菓子状の被覆層で保持したものである。
【０００７】
請求項３の発明は請求項１に係る植生体の製造方法で、分解性繊維のウェブあるいはシートの上に植生材を散布し、この植生材の上から水崩壊性又は分解性のホットメルト接着剤をスプレーして細長い繊維が絡み合った状態の綿菓子状被覆層を形成するものである。
【０００８】
請求項４の発明は請求項２に係る植生体の製造方法で、被覆材の上に分解性繊維のウェブあるいはシートを固定し、該ウェブあるいはシートの上に植生材を散布し、この植生材の上から水崩壊性又は分解性のホットメルト接着剤を綿菓子状にスプレーするものである。
【０００９】
上記植生体の製造方法では、植生材の散布時から、水崩壊性あるいは分解性のホットメルト接着剤をスプレーするまでの間、下方から空気を吸引するのが望ましい。また、水崩壊性あるいは分解性のホットメルト接着剤のスプレー後に、無機質微小粉末を添付してもよい。
【００１０】
【作用】
上記植生体とその製造方法では、水崩壊性あるいは分解性のホットメルト接着剤を細長い繊維が絡み合った綿菓子状態にスプレーすることにより、分解性繊維のウェブあるいはシートに植生材を固定している。また、綿菓子状に薄くスプレーされたホットメルト接着剤は極めて短時間で固まる。したがって、ウェブやシートの上にランダムに散布された植生材が確実に保持される。また、乾燥の必要がないので、種子が枯死したり肥料が変成したりすることがない。さらに、ホットメルト接着剤としては、分解性又は水崩壊性のものを使用しているので、植生体を地盤に敷くと雨水等の影響によって簡単に分解又は崩壊し、植物の発芽を阻害することもない。
【００１１】
また、植生材の散布時から、水崩壊性あるいは分解性のホットメルト接着剤をスプレーするまでの間、ウェブあるいはシートの下から空気を吸引すると、スプレーされたホットメルト接着剤による植生材の固定が瞬時かつ確実に行える。さらに、水崩壊性あるいは分解性のホットメルト接着剤のスプレー後に無機質微小粉末を添付すると、ホットメルト接着剤の粘着性が無くなり、製造された植生体をすぐにロール状に巻回しても、ホットメルト接着剤がシートや被覆材の表面に付着することがない。
【００１２】
【実施例】
以下、添付図面を参照して本発明の実施例について説明する。図１は本発明に係る植生体１の部分断面図で、この植生体１において、最上部の被覆材２は、公知の合成樹脂ネット、わらむしろ、天然繊維の網などである。被覆材２の下には、レーヨン、麻、木綿、ウール、絹など微生物に分解される繊維からなるウェブ３、又は紙、パルプにピートモスあるいはバークを混抄した薄層シート、不織布など分解性繊維のシート３’が配置されている。ここで、ウェブ３とは、カード機によって、繊維塊を櫛けずり、繊維にある程度方向性を持たせた薄綿状のものをいう。上記ウェブ３あるいはシート３’は、レーヨンに、分解速度が遅く、湿潤時の見かけ体積変化の小さい未脱脂木綿を混合するというように、微生物に分解される繊維同士を混合して形成してもよい。
【００１３】
ウェブ３又はシート３’の下面には、少なくとも種子４、肥料５を含む植生材６が、水崩壊性あるいは分解性のホットメルト接着剤からなる被覆層７によって被覆し固定されている。上記植生材６には、植生体１を敷設する現場の条件に応じて適宜、有機質あるいは無機質の土壌改良材や、高吸水性樹脂など保水材を加えてもよい。水崩壊性あるいは分解性のホットメルト接着剤としては、ゼラチン、水溶性のＰＶＡなどを含み、水によって形状が崩れるもの、あるいはポリカプロラクトン、でんぷんなどを原料とする微生物によって分解されるものが好ましい。また、被覆層７は、細長い繊維が絡み合った状態の綿菓子状の薄い層である。従って、植生体１が現場に施工され、降雨によってホットメルト接着剤が崩壊するか、もしくは現場土壌の微生物によってホットメルト接着剤が分解され、種子４は、支障なく発芽生育することができる。
【００１４】
水崩壊性あるいは分解性ホットメルト接着剤には、例えばクレー、タルク、炭酸カルシウム、硫酸バリウム、カオリン、セピオライト、酸化チタンなど粒子が細かく粒度分布が適当なものから選ばれた無機質微小粉末８を添付するのが好ましい。この際、アルカリ性のものを用いれば、酸性土壌のｐＨ矯正となり、好都合である。
【００１５】
図２は、ウェブ３を用いた植生体１の製造装置を示し、カード機９はローラーカード、ランダムカードなど公知のカード機で、このカード機９によってシート状に成形された分解性繊維のウェブ３はベルトコンベア１０によって運ばれる。一方、被覆材２はロール１１から送り出され、糊材ロール１２に片面に糊が塗布された後、この糊が塗布された面を上にして搬送される。また、被覆材２の上にはウェブ３が重ね合わされ、非粘着性加圧ロール１３により両者が接着される。なお、被覆材２と分解性繊維のウェブ３との接着は、糊材ロール１２、非粘着性加圧ロール１３を用いた方法に限らず、ヒートシール、ホットメルトで行ってもよい。
【００１６】
種子４、肥料５、又は必要に応じて土壌改良材を含む植生材６は、ホッパー１４から分解性繊維のウェブ３に散布され、ガン１５からスプレーされる水崩壊性あるいは分解性のホットメルト接着剤１６によって固定される。スプレーされたホットメルト接着剤１６は、細長い繊維が絡み合った状態の綿菓子状の薄い層を形成している。したがって、その後コールド・エア・スプレー１７により冷却されるとすぐに固まる。
【００１７】
上記植生材６の散布時から、水崩壊性あるいは分解性のホットメルト接着剤１６による固定後まで、被覆材２側から吸引機１８で空気を吸引することにより、植生材６は散乱することなく分解性繊維のウェブ３に密着する。また、空気の流れができるのでスプレーされたホットメルト接着剤１６は冷却され固化し、瞬時の固定が可能になる。
【００１８】
分解性ホットメルト７による固定後、無機質微小粉末８がホットメルト接着剤１６からなる被覆層７上に添付される。添付方法は、ホッパー１９からの重力落下以外でも、空気による圧送吹付など粉体力学的に適当なものであれば良い。この無機質微小粉末８は粘着性を持たないので、製造直後に植生体１をロールに巻き取っても、植生体１同士がくっつくことはない。なお、図示するように、吸引機１８の吸引領域を、無機質微小粉末８の添付後まで含めておくと、無機質微小粉末８の飛散を防止しつつ、これを確実に被覆層７に添付することができる。なお、工場の換気などで風が影響する場合には、図２，３のように防風カバー２０を周囲に設置する。
【００１９】
図３は、ウェブ３に代えて分解性繊維のシート３′を用いる場合の製造装置を示し、シート３’はロール２１から送り出される点と、ベルトコンベア１０が不要な点で相違する。その他の構成は同一であり、同一部分には同一の符号を付して、構成及び植生体の製造工程の説明は省略する。
【００２０】
【発明の効果】
以上の説明のように、本発明にかかる植生体及びその製造方法では、水崩壊性あるいは分解性のホットメルト接着剤を綿菓子状にスプレーした被覆層で、分解性繊維のウェブあるいはシートに植生材を固定している。したがって、植生体から植生材が簡単に剥離することがない。また、スプレーされたホットメルト接着剤は短時間で固化するので、大型の乾燥機等を備えた乾燥工程が不要となり、種子の枯死や肥料の変成が防止される。さらに、ホットメルト接着剤は雨水等によって簡単に崩壊又は分解するので、種子が素早く土壌に接触して発根すると共に、植物の発芽及び生育が良好に行われる。そして、水溶性糊材を用いて種子等の植生材を固定するものでは、これらの植生材に高吸水性樹脂を用いることはできなかったが、スプレーされたホットメルト接着剤は即座に固化するので、植生体に上記高吸水性樹脂を含めることも可能となる。
【００２１】
また、水崩壊性あるいは分解性のホットメルト接着剤による固定後まで、シート側から空気を吸引すると、瞬時の固定が容易になる。さらに、水崩壊性あるいは分解性のホットメルト接着剤による固定後に無機質微小粉末を添付すると、ホットメルトの粘着性が残らず、製造された植生体をすぐに巻き取っても互いにくっつくことがないので、展開したときの破損が防止される。
【図面の簡単な説明】
【図１】  植生体の部分拡大断面図である。
【図２】  ウェブを用いた植生体の製造方法の概略図である。
【図３】  シートを用いた植生体の製造方法の概略図である。
【符号の説明】
１…植生体、２…被覆材、３…分解性繊維のウェブ、３′…分解性繊維のシート、４…種子、５…肥料、６…植生材、７…水崩壊性あるいは分解性ホットメルト、８…無機質微小粉末、９…カード機、１０…ベルトコンベア、１２…糊材ロール、１３…非粘着性加圧ロール、１４…ホッパー、１５…ガン、１７…コールド・エア・スプレー、１８…吸引機、１９…ホッパー、２０…防風カバー。
【図１】
0003652386.tif 000002
【図２】
0003652386.tif 000003
【図３】
0003652386.tif 000004